(57)【要約】      （修正有）【課題】食品類と身体の洗浄と共に、部屋の空気の洗浄用に使用し、農薬、放射性物質及び食品添加物及び各種の雑菌の洗浄を微細径の泡体を生成し、多量の水を使用しない自動調整ができる食品用及び身体用の洗浄装置を提供する。【解決手段】洗浄装置本体の表面にオゾン濃度ボタン３、空気供給ボタン４及びタイマーボタン５を設け、且つ正面にエアー吸出し口１２と、裏面に電源プラグを接続し、エアー吸出し口１２とはホースと気泡筒を接続する。また、正面には野菜ボタン６、魚類ボタン７、肉類ボタン８、室内用９と美容用１０の操作用の押しボタンを各々押圧自在に装設した食品用及び身体用の洗浄装置。【選択図】図１
0003180258.tif 000002
【実用新案登録請求の範囲】
【請求項１】
洗浄装置本体（１）は、各種の筐体（２）より構成され、該筐体（２）の表面には、オゾン濃度ボタン（３）、空気供給ボタン（４）及びタイマーボタン（５）とエアー吸出し口（１２）を装設し、裏面には、着脱自在の電源プラグ（１１）を連接し、該エアー吸出し口（１２）に接続するホース（１５）には、先端に接続部（１３）を介して多量の微細径の泡体を生成する気泡筒（１４）を設けると共に、後端には、接続口（１６）を装設し、該接続口（１６）を該エアー吸出し口（１２）に接続することを特徴としたオゾンと空気発生とによる食品用及び身体用の洗浄装置。
【請求項２】
請求項１におけるオゾン濃度ボタン（３）、空気供給ボタン（４）及びタイマーボタン（５）には、各々にオゾン濃度、風量及びタイマーを自動調整される押ボタンスイッチを装設した請求項１記載の食品用及び身体用の洗浄装置。
【請求項３】
請求項１における筐体（２）の表面に設けた該オゾン濃度ボタン（３）、空気供給ボタン（４）及びタイマーボタン（５）とに段設して野菜ボタン（６）、魚類ボタン（７）、肉類ボタン（８）、室内ボタン（９）及び美容ボタン（１０）とを各々押圧自在とした請求項１記載の食品用及び身体用の洗浄装置。
【考案の詳細な説明】
【技術分野】
【０００１】  本考案は、食品、身体の洗浄と部屋の空気の洗浄用に使用するものであり、農薬、放射性物質、食品添加物及び各種の雑菌に対し、洗剤及び薬品を必要としないで洗浄に適応でき、微細径の泡体を容易に生成し、水槽、桶等で多量の水を使用することなく、自動調整する食品用及び身体用の洗浄装置に関するものである。
【背景技術】
【０００２】  従来、この種の食品及び身体の洗浄を目的とする場合は、多量の水を必要とする、又は、洗剤を使用する方法しか無いものである。
【考案の概要】
【考案が解決しようとする課題】
【０００３】  従来の洗浄方法では、洗剤を使用する場合、食品には洗剤が大量に残留するものである。また、柔かい果物等のそのまま口に入れる食品、例えば、イチゴ、サクランボ、ブドウ等は、充分に強く洗うことが出来ないために、農薬が多量に残留すると云う現状である。
さらに、食肉の場合についても、成育の段階から、各種の病気を防止する目的として、各種の薬品、ホルモン剤が使用されている現状である。
そのために、アトピー、化学物質過敏症等の各種の現代病の発生源となっている。また、放射性物質の危険から少しでも身体を守ることが必要である。
【課題を解決するための手段】
【０００４】  本考案は、上記目的を達成するために、大小各種の筐体の内部には、オゾンを生成するオゾン発生部と、オゾンと空気の混合するオゾン希釈部と、オゾン含有気体を噴出する開閉バルブに接続された多孔質の気泡筒が設置されている。
次に、該筐体の表面には、オゾン濃度ボタン、空気供給ボタン及びタイマーボタンには、各々にオゾン濃度を自動調整する押ボタンスイッチを装設してある。
また、該オゾン濃度ボタン、空気供給ボタン及びタイマーボタンとの下段に野菜ボタン、魚類ボタン、肉類ボタン、室内ボタン及び美容ボタン等を各々押圧自在として種類別にオゾン濃度を自由に調整することを特徴としたものである。
【考案の効果】
【０００５】  以上説明したように、本考案の、オゾンと空気発生とによる食品用及び身体用の洗浄装置によれば、従来のオゾン水のように長時間に亘って殺菌力を保持できない欠点を解決したもので、オゾンと空気との気体を気泡筒及び食品用ストーンによって微細径の泡体を水を張った水槽や洗浄容器に注入すれば、各種の食品の汚れや、農薬、食品添加物を除去できる効果がある。
また、身体洗浄容器の内部に入れ気泡筒により身体全体が泡体による美容と洗浄とを充分に果し、且つ該気泡筒を直接に身体に吹き付けることにより、毛穴を引き締めることが出来る優れた効果もある。
さらに、空気をオゾンに供給することによって生成するマイナスオゾンの気体と、空気発生とによって、室内の空気を著しく綺麗に出来る効果もある。
【図面の簡単な説明】
【０００６】
【図１】  本考案のオゾンと空気とによる食品及び身体の洗浄装置の一例を示す斜視図である。
【図２】  同じく本考案のホースに気泡筒を接続した斜面図である。
【図３】  本考案の接続口を設けたホースの多目的接続口の全体の斜面図である。
【図４】  同じく本考案の気泡筒の斜面図である。
【図５】  本考案の食品用に使用するストーンの斜面図である。
【図６】  本考案の身体洗浄容器に気泡筒を使用している状態の説明図である。
【図７】  本考案の洗浄容器に野菜類と食品用ストーンを挿入した状態の内部を開示した側面図である。
【考案を実施するための形態】
【０００７】  以上のように構成されたオゾンと空気との混合による食品用及び身体用の洗浄装置によれば、オゾン濃度ボタン、空気供給ボタン及びタイマーボタンの操作により、オゾン発生部で生成されるオゾンは、オゾン希釈部によって開閉バルブの操作により気泡筒を接続したホースの接続口をエアー吸出し口に接続され、身体に使用する場合、例えば、温水の身体洗浄容器にホースに接続した該気泡筒の挿入して生成する泡により、毛穴の奥の汚れを除去することができる。
また、洗浄容器の冷水に入れた各種の野菜類の内部に、例えば、食品用ストーンを取付けたホースの接続口をエアー吸出し口に連接して微細泡により消毒用のオゾン殺菌水となり、各種野菜類等を洗浄する水を得ることができる。
【実施例】
【０００８】  次に、本考案の実施例を図面について説明すると、図１に示す如く、洗浄装置本体（１）は、大小各種の方形状の筐体（２）より形成され、該筐体（２）には、表面にオゾン濃度ボタン（３）と、空気供給ボタン（４）及びタイマーボタン（５）を装設し、且つ該オゾン濃度ボタン（３）、該空気供給ボタン（４）及び該タイマーボタン（５）には、各々にオゾンと空気及びタイマーの供給を調整する目盛を装設してある。
また、該オゾン濃度ボタン（３）、該空気供給ボタン（４）及び該タイマーボタン（５）の下段には、各種の洗浄に使用される野菜ボタン（６）、魚類ボタン（７）、肉類ボタン（８）、室内空気を洗浄する室内ボタン（９）及び美容用に使用する美容ボタン（１０）を各々並列して装設してある。
さらに、該筐体（２）には、電源プラグ（１１）を連接すると共に、表面側にエアー吸出し口（１２）を装設してある。【０００９】  次に、図２に示すものは、風呂用の気泡筒（１４）を示したホース（１５）に接続部（１３）を介在してオゾンと空気を噴出する図４に示す筒状を有し、気泡筒（１４）を連接してある。
図３に示すものは、各種の目的に使用できるもので、ホース（１６）の両端に接続口（１６）と多目的接結具（１７）とを接続してある。
図４に示すものは、筒状に形成された気泡筒（１４）であって、接続部（１３）を接続して風呂用の気泡の噴出として使用されるものである。また、図５に示すものは、ホース（１５）に連結した食品用ストーン（１８）で、円形状に形成され気泡を噴出して図７に示す如く、冷水（３１）と各種の野菜類（２９）を入れた洗浄容器（２８）内に挿入して食品の汚れや、農薬、添加物を除去する役目に使用するものである。【００１０】  次に、図６に示すものは、風呂等の身体洗浄容器（２６）に使用した状態を示すもので、湯水（３０）の内底部にエアー吸出し口（１２）に接続したホース（１５）の接続口（１６）より送られるオゾン希釈を気泡筒（１４）によって湯水（３０）に噴出して、身体（２７）に吹き付けることにより、毛穴を引き締める作用を達成するものである。【００１１】  また、洗浄装置本体（１）の内部には、図８に示す如く、下記の各部を収納している。
オゾン発生部（１９）は、放電電極、誘電電極及び外部の高周波高圧電源から構成され、オゾンを生成する。オゾン希釈部（２０）は、オゾンと空気とを混合して、オゾンの濃度を必要に応じた微細気泡泡状態に希釈する。該オゾンの濃度は、例えば、通常のオゾン殺菌の１００倍以下で制御する。【００１２】  次に、空気供給量制御部（２２）は、オゾン希釈部（２０）で用いる空気を吸入するもので、エアーポンプを装備してある。開閉バルブ（２１）は、該オゾン希釈部（２０）と、気泡筒（１４）との間に設けられ、気体供給量制御部（２３）から送られる制御されたガス流量設定信号に従って、開閉バルブ（２１）の開度が制御されるものである。
【符号の説明】
【００１３】１            洗浄装置本体
２            筐体
３            オゾン濃度ボタン
４            空気供給ボタン
５            タイマーボタン
６            野菜ボタン
７            魚類ボタン
８            肉類ボタン
９            室内ボタン
１０          美容ボタン
１１          電源プラグ
１２          エアー吸出し口
１３          接続部
１４          気泡筒
１５          ホース
１６          接続口
１７          多目的接結具
１８          食品用ストーン
１９          オゾン発生部
２０          オゾン希釈部
２１          開閉バルブ
２２          空気供給量制御部
２３          気体供給量制御部
２６          身体洗浄容器
２７          身体
２８          洗浄容器
２９          野菜類
３０          湯水
３１          冷水
【図１】
0003180258.tif 000003
【図２】
0003180258.tif 000004
【図３】
0003180258.tif 000005
【図４】
0003180258.tif 000006
【図５】
0003180258.tif 000007
【図６】
0003180258.tif 000008
【図７】
0003180258.tif 000009
【図８】
0003180258.tif 000010
【手続補正書】
【提出日】平成24年10月18日(2012.10.18)
【手続補正１】
【補正対象書類名】明細書
【補正対象項目名】０００６
【補正方法】変更
【補正の内容】
【０００６】
【図１】本考案のオゾンと空気とによる食品及び身体の洗浄装置の一例を示す斜視図である。
【図２】同じく本考案のホースに気泡筒を接続した斜面図である。
【図３】本考案の接続口を設けたホースの多目的接続口の全体の斜面図である。
【図４】同じく本考案の気泡筒の斜面図である。
【図５】本考案の食品用に使用するストーンの斜面図である。
【図６】本考案の身体洗浄容器に気泡筒を使用している状態の説明図である。
【図７】本考案の洗浄容器に野菜類と食品用ストーンを挿入した状態の内部を開示した側面図である。
【図８】本考案の洗浄装置本体の内部全体を開示した配置図である。